(57)【要約】【課題】  各映像源から映像信号が入力されているか、どの映像源の映像信号が映像表示されているかを識別できるようにする。【解決手段】  複数種の映像源から入力される映像信号に応じた映像を表示可能な映像表示装置１１６であって、前記映像信号が入力される入力端子１２０の個々における映像信号の状態を検出する信号検出手段１１０、１１４と、該信号検出手段の判定に応じて前記信号状態を表示する表示手段１２１とを備える。また、現在映像表示されている映像源が接続されている端子または映像信号の表示を他の映像源のものと異なる表示にする。【選択図】  図９
2007212767.tif 000002
【特許請求の範囲】
【請求項１】
複数種の映像源から入力される映像信号に応じた映像を表示可能な映像表示装置であって、
前記映像信号が入力される入力端子の個々における映像信号の状態を検出する信号検出手段と、
該信号検出手段の判定に応じて前記信号状態を表示する表示手段と
を備えることを特徴とする映像表示装置。
【請求項２】
前記表示手段は、どの映像信号に基づく映像が表示中であるか、その映像信号またはその映像信号が入力されている端子を区別し得る表示を行うことを特徴とする請求項１に記載の映像表示装置。
【請求項３】
前記表示手段は、入力信号を選択する選択画面において前記信号状態を表示することを特徴とする請求項１または２に記載の映像表示装置。
【請求項４】
前記表示手段が、前記入力端子個々の近傍に設けられた複数の発光体であることを特徴とする請求項１または２に記載の映像表示装置。
【請求項５】
前記表示手段は、前記発光体の連続点灯と点滅とにより前記映像信号が入力されていることと、その映像信号に基づく映像が表示中であることとを区別して表示することを特徴とする請求項４に記載の映像表示装置。
【発明の詳細な説明】
【技術分野】
【０００１】
本発明は、コンピュータ装置やビデオ再生装置につないで使用されるプロジェクタ装置等の映像表示装置に関し、特に操作効率の向上および誤設定を防止を図った映像表示装置に関する。
【背景技術】
【０００２】
図２に本発明の適用対象の一例でもある従来の一般的なプロジェクタ装置の構成を示す。同図において、１１６はプロジェクタ装置である。１０３はランプ装置であり、液晶パネル装置１０２に光を供給する。液晶パネル装置１０２は例えばＲ、Ｇ、Ｂの各色成分別の映像信号を像として表示する。表示された像はレンズ装置１０１によってフォーカスやズーム調整され、スクリーン（不図示）に映像を結像する。液晶パネル装置１０２には反射型や透過型があるが、本発明はどちらの構成に対しても適用可能である。
【０００３】
１０４は安定した高電圧をコントロールし、ランプ装置１０３に電力供給するバラスト装置である。１０５はその元となる電力を発生し、かつプロジェクタ装置１１６に電力供給する電源装置である。１０６は液晶パネル装置１０２を制御する液晶パネルドライバ装置であり、映像信号を２次元的に液晶パネル１０２上に構成する。１１０はプロジェクタ装置１１６に入力された複数の映像信号から所望の映像を選択するセレクタ装置であり、一般にビデオ信号やコンポーネント信号、アナログＲＧＢ、デジタルＲＧＢ、その他の映像信号から一つを選択する。各映像信号はそれぞれ異なるコネクタ装置１２０を介してプロジェクタ装置１１６に接続される。各映像信号は選択される前に信号種によってそれぞれ必要とされる同期分離やアナログ−デジタル信号変換などを１１１のデコーダ装置で行っておく。
【０００４】
セレクタ装置１１０によって選択された映像信号はインターレース・プログレッシブ変換、フレームレート変換、解像度変換、アスペクト変換など各種画像処理を画像処理装置１０８で行う。その際必要に応じてワーク領域としてフレームメモリ１０９を使用する。画像処理された映像信号には画像合成装置１０７によってオンスクリーンディスプレイ（ＯＳＤ）表示が合成される。ＯＳＤ表示とは映像信号に対し、メニューやポインタやメッセージを画像合成する装置である。その後、映像信号は前記液晶パネルドライバ１０６によって液晶パネル装置１０２の画素に対応付けられ、映像となる。
【０００５】
また、プロジェクタ装置１１６はコンピュータ装置と通信するための通信制御装置１１２を持つ。この通信制御装置１１２は、プロジェクタ装置１１６からコンピュータ装置１１８（上で動作するアプリケーションソフト）の制御、および逆にコンピュータ装置１１８（同アプリケーションソフト）からプロジェクタ装置１１６の制御に使用される。通信制御装置１１２はＲＳ−２３２Ｃ、ＵＳＢ、ＩＥＥＥ１３９４、Ｅｔｈｅｒｎｅｔ(登録商標）などから構成することができる。
【０００６】
さらに、プロジェクタ装置１１６にはリモコン装置１１７からの制御が可能で、リモコン受信装置１１３が受信した制御コードによって、プロジェクタ装置１１６の制御が行われる。同様に本体に装備されたパネル入力装置１１９によっても操作が可能である。
以上の各装置はシステム制御装置１１４からの制御信号やデータによってコントロールされる。システム制御装置１１４はＣＰＵ（演算装置）、ＲＡＭ、ＲＯＭ等からなるプログラム制御可能なプロセッサユニットであり、システムバスやＩ／Ｏ装置からなる内部回線１１５を介して、各装置とつながっている。各装置からの情報取得、および各装置のコントロールも行う。
【０００７】
図３にコネクタ装置１２０の例を示した。図３の入力端子群は３１がＤＶＩ−Ｉ端子、３２がミニＤｓｕｂ１５端子、３３がミニＤＩＮ４端子、３４がＲＣＡ端子である。ＤＶＩ−Ｉ端子３１にはデジタルＲＧＢ信号またはアナログＲＧＢ信号を入力する。ミニＤｓｕｂ１５端子３２にはＹＣｂＣｒ信号（コンポーネント信号）を入力する。ミニＤＩＮ４端子３３にはＹ／Ｃ分離ビデオ信号（Ｓ映像信号）を入力する。ＲＣＡ端子３４にはビデオ信号（コンポジット信号）を入力する。
【０００８】
この種の従来例としては、特許文献１に記載されたものが知られているが、これは周辺機器の接続を目的としており、言うなれば端子とケーブルの接続を目的としたものであった。本発明のように接続した上で信号が入っているか否かを判定する手段は持っておらず、使用者が確認を取ることはできなかった。
【特許文献１】特開２００１−３１４３７９号公報
【発明の開示】
【発明が解決しようとする課題】
【０００９】
以上のようなプロジェクタ装置においては、入力信号として多種類が想定されており、同時に数本の映像ケーブルが接続される。その元にはコンピュータ装置やビデオ再生装置等の映像源がつながり映像を送り出してくる。プロジェクタ装置側は入力される信号から所望する入力信号を選択しなければならない。通常リモコン装置１１７や本体パネル装置１１９を操作し選択する。
しかし、このような環境においては、信号名が不慣れであることもあり、入力信号名と接続端子の対応付けを間違ったり、映像を出力する側の出力設定が行われておらず、映像源から映像信号が出力されていなかったりで、実際に映像が投影されるまで混乱が生じることとなっていた。
以上の点に鑑み本発明は、映像源から映像信号が出力されていることを確認できるようにするとともに、投影用に選択している端子を識別できるようにすることを課題とする。
【課題を解決するための手段】
【００１０】
上記の課題を解決するための映像表示装置は、コンピュータ装置やビデオ再生装置等複数種の映像源から入力される映像信号に応じた映像を表示可能なものである。そして、本発明では、前記映像信号が入力される入力端子の個々における映像信号の状態を検出する信号検出手段と、該信号検出手段の判定に応じて前記信号状態を表示する表示手段とを備えることを特徴とする。
【発明の効果】
【００１１】
本発明によれば、入力信号の有無など信号の状態を、信号選択ウィンドウの信号名、または接続端子近傍に設けた表示手段で示すことが可能となり、どの信号線に信号が来ているか確認する手段を提供できた。これにより、信号を確実に入力することが可能となり、さらに該信号を確実に選択できるようになることから、使用者の利便性を格段に向上させることができる。
【発明を実施するための最良の形態】
【００１２】
本発明の好ましい実施の形態に係る映像表示装置は、コンピュータ装置およびビデオ再生装置等複数種の映像装置からの映像信号を入力し、投影可能なプロジェクタ装置である。該プロジェクタ装置は、該入力端子個々に対し映像信号が入力されているか否かを検出する信号検出手段を持つ。また該信号検出手段の判定に応じて、表示手段を用いて信号状態を表示することを特徴としている。
前記表示手段は、各入力端子における信号の有無に加えて、プロジェクタ投影している信号を区別しうる表示を行うことを特徴としている。
前記表示手段は、入力信号を選択する選択画面において前記信号状態を表示する。または、入力端子近傍に、入力信号の種類に対応して設けられた複数のＬＥＤを備え、対応する入力信号有りで点灯する。また、その入力信号が映像出力されている場合は、ＬＥＤを点滅する。連続点灯と点滅は逆でもよい。また、ＬＥＤは他の発光体でもよく、その発光体の色が駆動条件により可変であれば、映像出力されているか否かは色別表示してもよい。勿論、１つの入力信号の表示に色の異なる２素子を用いて色別表示をしてもよい。
【実施例１】
【００１３】
以下、本発明の実施例を図面を用いて説明する。
図１は本発明の位置実施例に係るプロジェクタ装置の概略構成図である。図１におけるレンズ装置１０１から接続端子群１２０までは図２の従来例と同一である。本実施例の特徴である表示装置１２１は画像合成装置１０７に作用し、投影している画像に接続端子１２０への信号入力状態を表示する。
【００１４】
画面表示する形状を図４に示す。図４はプロジェクタ投影画面の左上隅部分を表現したもので、入力信号を選択するウィンドウを表示している。使用者はリモコン装置１１７またはパネル入力装置１１９を利用し入力信号を選択する。選択された入力信号はアンダーラインで表現している。もちろんアンダーライン以外にもマークや字体変更、ハイライト等他の表現も可能である。
【００１５】
また、図４は実際に信号が入力されている信号名が太文字で表現されている。これは本実施例の特徴でもある「実際に入力されている信号を検出し区別した表現」となっている。図４ではＡｎａｌｏｇＰＣとＣｏｍｐｏｎｅｎｔがそれにあたる。ＡｎａｌｏｇＰＣとはＰＣからの映像信号でありアナログＲＧＢ信号を意味している。またＣｏｍｐｏｎｅｎｔはＹＣｒＣｂ等のコンポーネントビデオ信号を意味している。
【００１６】
信号入力状態の表示処理について図５および図６を用いて説明する。
図５は各入力端子から映像信号が入り、その同期信号の流れを簡便に示している（映像信号は不図示）。セレクタ５０８は、図１のセレクタ１１０の一部を示している。このセレクタ５０８は、選択した入力端子から同期信号を検出可能で、検出結果を図１のバス装置１１５に出力している。システム制御装置１１４において条件判断に使用可能となる。またシステム制御装置１１４はセレクタ装置１１０の入力切換の指示も発行する。３１〜３４は図３にも示したＤＶＩ−Ｉ、ミニＤｓｕｂ１５、ミニＤＩＮ４およびＲＣＡの各入力端子である。また、５０５〜５０７は同期分離回路であり、これらも図１のセレクタ１１０の一部として組み込まれているものとする。
【００１７】
図６を用いて処理を説明する。図６においてステップ６０１はこのルーチンのスタートである。ステップ６０１でシステム制御装置１１４はセレクタ５０８をＡ入力に切換える。ステップ６０３でシステム制御装置１１４はセレクタ５０８からの同期信号検出結果を検査する。同期信号を検出した場合はステップ６０４でデジタルＲＧＢの信号入力があると判定する。ステップ６０４後、またはステップ６０３で同期信号が非検出の場合、ステップ６０５でセレクタ入力をＢに切換える。
【００１８】
ステップ６０６で同期信号検出結果を検査する。同期信号が検出できた場合はステップ６０７でアナログＲＧＢ信号ありと判定する。ステップ６０７後、またはステップ６０６で同期信号が検出できない場合、ステップ６０８でセレクタ入力をＣに切換える。
ステップ６０９で同期信号検出結果を検査する。同期信号が検出できた場合はステップ６１０でコンポーネント信号があると判断する。ステップ６１０後、またはステップ６０９で同期信号が検出できない場合はステップ６１１でセレクタ入力をＤに切換える。
【００１９】
ステップ６１２で同期信号検出結果を検査する。同期信号が検出できた場合はステップ６１３でＹ／Ｃ分離ビデオ信号があると判断する。ステップ６１３後、またはステップ６１２で同期信号が検出できない場合、ステップ６１４でセレクタをＥに切換える。
ステップ６１５で同期信号検出結果を検査する。同期信号が検出できた場合はステップ６１６でコンポジットビデオ信号が検出できたと判断する。ステップ６１６後、またはステップ６１５で同期信号が検出できない場合、ステップ６１７でこのルーチンを終了する。以上、ステップ６０１からステップ６１７までを繰り返すことにより、各入力端子に信号が入っているか検出することが可能となる。
【００２０】
次に図７を用いて図４の表示に関しての説明をする。
図４の入力選択ウィンドウはリモコン装置１１７やパネル入力装置１１９から入力切換えが指示された場合に表示される。その際、図７に示した処理によって図４の表現を行う。
図７のステップ７０１はルーチンのスタートである。ステップ７０２でシステム制御装置１１４はデジタルＲＧＢの信号入力があるか判定する。判定は前記図６での処理結果を用いる。入力信号がある場合はステップ７０３でデジタルＲＧＢの文字を太文字表記する。さらにステップ７０４でデジタルＲＧＢの信号を投影中か判定し、投影中ならステップ７０５で下線を付加する。ステップ７０２でデジタルＲＧＢの入力が無い場合はステップ７０６で文字を細文字表記する。
【００２１】
ステップ７０７ではアナログＲＧＢの信号があるか判定する。信号がある場合はステップ７０８でアナログＲＧＢの文字を太文字表記する。さらにステップ７０９でアナログＲＧＢを投影中か判定し、投影中であればステップ７１０で文字に下線を付加する。ステップ７０７でアナログＲＧＢ信号の入力がなければステップ７１１でアナログＲＧＢの文字を細文字表記する。
【００２２】
ステップ７１２ではコンポーネント信号入力の有無を判定する。信号入力があればステップ７１３でコンポーネント表記を太文字表記する。さらにステップ７１４でコンポーネント信号を投影中であるか判定し、投影中であればステップ７１５でコンポーネント表記に下線を付加する。ステップ７１２でコンポーネント入力がなければステップ７１６で細文字表記にする。
【００２３】
ステップ７１７でＹ／Ｃ分離ビデオ信号の入力があるか判定し、あればステップ７１８でＳ−Ｖｉｄｅｏ表記を太文字表記にする。さらにステップ７１９でＹ／Ｃ分離ビデオ信号を投影中であるか判定し、投影中であればステップ７２０でＳ−Ｖｉｄｅｏ表記に下線を付加する。ステップ７１７でＹ／Ｃ分離ビデオ信号の入力がないと判断した場合は、ステップ７２１でＳ−Ｖｉｄｅｏ表記を細文字にする。
【００２４】
ステップ７２２ではコンポジットビデオ信号入力があるか判定する。信号入力がある場合はステップ７２３でＶｉｄｅｏ表記を太文字にする。ステップ７２４ではコンポジットビデオを投影中か判定する。投影中であればステップ７２５でＶｉｄｅｏ表記に下線を付加する。ステップ７２２でコンポジットビデオ信号が入力されていないと判断した場合は、ステップ７２６でＶｉｄｅｏ表記を細文字にする。
ステップ７２７は本処理の終了である。
【００２５】
以上により図４に示した入力信号選択のウィンドウが表現できる。もちろんその表現は無信号／信号あり／表示中が区別できるような表現であるなら、書体、飾り、マーク等任意に使用可能で本発明から外れるものではない。
以上の処理により、接続している端子に信号入力があればその区別をウィンドウに表現することが可能となり、信号入力の有無を視覚的に確認できるようになる。なお、表示装置１２１にＣＰＵが搭載されている場合、図７の処理は、表示装置１２１で行ってもよい。また、本実施例を既にＯＳＤ手段が搭載されているプロジェクタ装置に適用する場合は、図７の処理は、ＯＳＤ手段で行えばよい。
【実施例２】
【００２６】
図９は本発明の第２の実施例に係るプロジェクタ装置の概略構成図である。
図９におけるレンズ装置１０１から接続端子群１２０までは図２と同一である。表示装置１２１は本実施例２では接続端子近傍に設けられている。図１０は、接続端子部の概観を示す。図１０に示すように接続端子近傍にＬＥＤ表示装置を配置している。図１０において、３１〜３４は図３と同様のＤＶＩ−Ｉ、ミニＤｓｕｂ１５、ミニＤＩＮ４およびＲＣＡの各入力端子である。３５、３６、３７、３８、３９がＬＥＤ発光装置であり表示装置１２１の一部に含まれる。
【００２７】
表示装置１２１は図８に示した処理によって点灯処理が行われる。本実施例２では信号の入力されていてかつ投影中の端子を点灯表示で示し、信号が入力されているが投影していない接続端子を点滅表示で示している。もちろん、点灯パターンは信号あり無し、投影中非投影中の区別がつくパターンならなんでもよく本実施例２のように点灯、点滅に制約されるるものではない。
【００２８】
本実施例２の信号状態表示処理を図８の流れに沿って説明する。
図８においてステップ８０１は処理のスタートである。ステップ８０２でデジタルＲＧＢ信号入力があるか判定する。なお、信号の有無は実施例１において、図５および図６を用いて説明した処理により既に検出済みであるものとする。ステップ８０２で信号があると判定した場合はステップ８０３でデジタルＲＧＢ信号を投影中か判定する。投影中でなければステップ８０４でデジタルＲＧＢ端子近傍に設けたＬＥＤ３６（図１０）を点滅表示にする。デジタルＲＧＢ信号を投影中の場合ステップ８０５でＬＥＤ３６を点灯表示にする。またステップ８０２でデジタルＲＧＢの信号入力が無い場合はステップ８０６でＬＥＤ３６を消灯表示にする。
【００２９】
ステップ８０７でアナログＲＧＢ信号の入力を検出済みと判断した場合、ステップ８０８でアナログＲＧＢ信号を投影中か判定する。投影中の場合ステップ８１０でアナログＲＧＢ端子近傍に設けたＬＥＤ３５を点灯表示にする。アナログＲＧＢ信号を投影中で無い場合は、ステップ８０９でＬＥＤ３５を点滅表示にする。ステップ８０７でアナログＲＧＢ信号入力がないと判断した場合はステップ８１１でＬＥＤ３５を消灯する。
【００３０】
ステップ８１２でコンポーネント信号の入力があると判断した場合には、ステップ８１３でコンポーネント信号を投影中か判定する。投影中の場合ステップ８１５でコンポーネント端子近傍に設けたＬＥＤ３７を点灯表示にする。コンポーネント信号を投影中で無い場合、ステップ８１４でＬＥＤ３７を点滅表示にする。ステップ８１６でコンポーネント信号の入力がないと判断した場合はステップ８１６でＬＥＤ３７を消灯表示にする。
【００３１】
ステップ８１７でＹ／Ｃ分離ビデオ信号の有無を判定する。Ｙ／Ｃ分離ビデオ信号の入力があった場合にはステップ８１８でＹ／Ｃ分離ビデオ信号を投影中か判定する。投影中の場合はＹ／Ｃ分離ビデオ信号端子近傍に設けたＬＥＤ３８を点灯表示にする。投影中でない場合はステップ８１９でＬＥＤ３８を点滅表示にする。ステップ８１７でＹ／Ｃ分離ビデオ信号の入力がなかったと判断した場合は、ステップ８２１でＬＥＤ３８を消灯表示にする。
【００３２】
ステップ８２２でコンポジットビデオ信号の入力があったか判定する。入力があった場合ステップ８２３でコンポジットビデオ信号を投影中か判定する。投影中の場合、ステップ８２５でビデオ端子近傍に設けたＬＥＤ３９を点灯表示にする。ステップ８２３で投影中でないと判定した場合にはステップ８２４でＬＥＤ３９を点滅表示にする。ステップ８２２でコンポジットビデオ信号の入力がないと判断した場合にはステップ８２６でＬＥＤ３９を消灯表示にする。
ステップ８２７は本ルーチンの終了である。
【００３３】
以上のように図８に示した処理によって表示装置１２１を制御し、各接続端子に入力されている信号状況に連動して端子近傍に設けた表示装置に信号の状況を表示することが可能となる。よって、使用者に入力信号の有無・投影中の状況を示すことが可能となる。
【図面の簡単な説明】
【００３４】
【図１】本発明の第１の実施例に係るプロジェクタ装置の概略構成を示す図である。
【図２】従来のプロジェクタ装置の概略構成を示す図である。
【図３】図２のプロジェクタ装置における信号入力端子群を示した図である。
【図４】図１のプロジェクタ装置における入力を選択するためのウィンドウの略図を示した図である。
【図５】図１のプロジェクタ装置の各端子の信号有無を判定する機能を持たせたセレクタ装置である。
【図６】図５のセレクタ装置を用いて信号状態を検査する処理の流れを示した図である。
【図７】図６の信号状態検査結果に基づいて図４の信号状態表示を行う処理の流れを示した図である。
【図８】本発明の第２の実施例に係る信号状態表示処理の流れを示した図である。
【図９】本発明の第２の実施例に係るプロジェクタ装置の概略構成を示す図である。
【図１０】本発明の第２の実施例で用いられる表示装置の一具体例である。
【符号の説明】
【００３５】
１０１  フォーカスやズーム調整を行うレンズ装置
１０２  映像信号を２次元画像に形成する液晶パネル装置
１０３  光源となるランプ装置
１０４  安定した高電圧を制御し、ランプ装置に電力を供給するバラスト装置
１０５  バラスト装置やプロジェクタ装置全体に電力を供給する電源装置
１０６  液晶パネル装置を制御する液晶パネルドライバ装置
１０７  オンスクリーン表示などを行い、画面に合成する画像合成装置
１０８  インターレース・プログレッシブ変換、フレームレート変換、解像度変換、アスペクト変換、色変換などを行う画像処理装置
１０９  画像加工時に使用するワーク領域としてのフレームメモリ
１１０  複数の入力信号から所望の信号を選択するセレクタ装置
１１１  信号ごとに構成された同期分離やＡ／Ｄ変換を行うデコーダ装置
１１２  外部のコンピュータ装置と通信するための通信制御装置
１１３  リモコン装置との通信を行うためのリモコン受信装置
１１４  ＣＰＵ、ＲＡＭ、ＲＯＭ等からなりプログラム制御され、演算、結果保持、条件判定などを行うシステム制御装置
１１５  システムバスやＩ／Ｏ装置を表記した内部回線
１１６  プロジェクタ装置
１１７  リモコン装置
１１８  外部接続されたコンピュータ装置
１１９  本体に内蔵したパネル入力装置
１２０  映像信号を入力する端子
１２１  信号入力状況、投影状況を示す表示装置
【図１】
2007212767.tif 000003
【図２】
2007212767.tif 000004
【図３】
2007212767.tif 000005
【図４】
2007212767.tif 000006
【図５】
2007212767.tif 000007
【図６】
2007212767.tif 000008
【図７】
2007212767.tif 000009
【図８】
2007212767.tif 000010
【図９】
2007212767.tif 000011
【図１０】
2007212767.tif 000012